(57)【要約】【課題】うがい用等の薬液を所定希釈度合とするため薬液を規定量だけ計量する動作を、計量コップに付けられた計量目盛線を用いることなく、簡単かつ確実に行いうる計量コップ立てセットを提供すること。【解決手段】計量コップとセットになっているコップ立て用の主体部の水平上面に、計量コップを傾斜姿勢で収容し、静置させうるひずめ型に凹陥したコップ受け凹部を形成し、該凹部の上周縁位置を計量基準線とし、透明な計量コップの周壁を通して前記上周縁に薬液面が達するまで薬液を注入すれば、計量が完了する計量コップ立てセットとした。【選択図】図５
2004053565.tif 000002
【特許請求の範囲】
【請求項１】
計量コップと該コップを支承する主体部とよりなる計量コップ立てセットの前記主体部の水平位置を占める上面に、該上面に放物線縁と、その両端を結ぶ直線縁とを位置させ、該上面から徐々に深く、ひずめ型形状に凹陥したコップ受け凹部が凹設されており、
セットとして組み合わされている透明性を有する計量コップを、前記コップ受け凹部に挿入し、該コップの底面と外周面との各一部を前記ひずめ型形状のコップ受け凹部の平坦底壁と筒面状周壁とに当接させた静置姿勢において、計量コップの底面と外周面とを通して視認されるコップ受け凹部の上周縁の位置が、計量コップによる所定の計量基準線に設定されている液体の計量コップ立てセット。
【請求項２】
コップ受け凹部の内周面たる平坦底壁と筒面状周壁とが主体部の上面と異色に着色されている請求項１記載の液体の計量コップ立てセット。
【請求項３】
コップ受け凹部の内周面の、最長母線位置に対応する該コップ受け凹部の円縁部分から、該母線の延長方向外方へ向けてコップ受け突片が延出されている請求項１または請求項２記載の液体の計量コップ立てセット。
【請求項４】
コップ立てセットの主体部の上面におけるコップ受け突片の延出位置と対称位置の上面に、計量時のバランスウェイトを兼ねる計量コップ当てが立設されている請求項１、請求項２または請求項３のいずれかに記載の液体の計量コップ立てセット。
【発明の詳細な説明】
【０００１】
【発明の属する技術分野】
本発明は、うがい用、手指の殺菌、洗浄用等の薬液を所定希釈度合とするための薬液の計量コップと、計量時に該コップを支承する主体部とよりなる液体の計量コップ立てセットに関する。
【０００２】
【従来の技術】
従来、うがい用の薬液等の希釈用計量コップとしては、図６に示すごとく、透明或は半透明のコップの周壁に、２ｍｌとか４ｍｌとかの目盛線を周方向に適宜手段で形成したものが用いられ、薬液の原液ボトルから前記目盛線を目安として該原液を計量コップに注入して計量し、次いで希釈する手法が採用されている。
【０００３】
しかし、市販されるうがい用等の薬の原液ボトルにサービスとして添付されている計量コップは、ＡＢＳ樹脂（アクリロニトリルーブタジエンースチレンの共重体）製が多く、半透明のため、目盛線が見にくい問題があり、更には、計量コップと原液ボトルとを目線の位置まで持ち上げて薬液を計量コップに注入して目盛線に合わせねばならず、計量コップの水平姿勢を維持しながら目盛線と薬液面とを合致させることが若干困難であり、計量が不正確となる等の問題があった。
【０００４】
【発明が解決しようとする課題】
前述のごとき、従来の計量コップと薬の原液ボトルとのセットの有する問題点に鑑み、本発明では、計量コップ立てセットの主体部の計量コップ載置位置たる凹部に、該コップを静置し、該凹部の上周縁を基準として薬液を注入する動作のみで、薬液の注入計量動作が完結する液体の計量コップ立てセットを提供することを課題としている。
【０００５】
【課題を解決するための手段】
前記課題を解決するため、請求項１の発明では、計量コップと該コップを支承する主体部とよりなる計量コップ立てセットの前記主体部の水平位置を占める上面に、該上面に放物線縁と、その両端を結ぶ直線縁とを位置させ、該上面から徐々に深く、ひずめ型形状に凹陥したコップ受け凹設されており、セットとして組み合わされている透明性を有する計量コップを、前記コップ受け凹部に挿入し、該コップの底面と外周面との各一部を前記ひずめ型形状のコップ受け凹部の平坦底壁と筒面状周壁とに当接させた静置姿勢において、計量コップの底面と外周面とを通して視認されるコップ受け凹部の上周縁の位置が、計量コップによる所定の計量基準線に設定されているという構成とした。
【０００６】
この構成によれば、計量コップ立てセットの主体部を、洗面台、食卓の水平な上面等に水平に載置し、計量コップの底面と外周面とを通して視認される前記主体部のひずめ型形状のコップ受け凹部の上周縁の位置まで薬液原液を計量コップ内に注入するのみで所定量の計量が完了する。
【０００７】
請求項２の発明では、主体部のコップ受け凹部の内周面たる平坦底壁と筒面状周壁とを、主体部の上面と異色に着色しておくという構成を、請求項１の発明に付加した。
この構成により、計量コップの底面と外周面とを通して視認されるコップ受け凹部とその上周縁とがより明瞭に視認される。
【０００８】
請求項３の発明では、請求項１及び請求項２のいずれかの発明に、コップ受け凹部の内周面の最長母線位置に対応する該コップ受け凹部の円縁部分から、該母線の延長方向外方へ向けてコップ受け突片が延出されているという構成を付加し、計量時のコップの姿勢の安定度を向上させた。
【０００９】
請求項４の発明では、請求項１、請求項２及び請求項３のいずれかの発明に、コップ立てセットの主体部の上面におけるコップ受け突片の延出位置と対称位置の上面に、計量時のバランスウェイトを兼ねる計量コップ当てが立設されているという構成を付加した。
この構成の付加により、計量時における前記主体部の静置安定度が向上し、計量時における計量コップのセットされた主体部の転倒等の不測の事故の発生を防止できる。
【００１０】
【発明の実施の形態】
図は、請求項１ないし請求項４の各発明を併せ適用した実施の一例を示しており、図１は、正面図、図２は図１に示すものの右側両図、図３は平面図、図４は図３中Ｘ−Ｘ線における一部省略縦断両面、図５は使用状態を示す図４と同一位置における一部省略縦断面図である。
【００１１】
本発明に係る液体の計量コップ立てセット１は、図１、図２及び図３に示される主体部２と、図５に断面として示されている計量コップ３とで構成されており、図示実施例の場合、主体部２には計量時のバランスウェイトを兼ねる計量コップ当て４が立設されている。
【００１２】
前記主体部２、計量コップ３、計量コップ当て４は、何れも合成樹脂で成形されており、特に計量コップ３は、ＡＢＳ樹脂（アクリロニトリルーブタジエンースチレンの共重合体）で成形され、透明に近い半透明体とされている。なお、本発明で透明とは、完全に透明なものと半透明なものとを含む呼称とする。
【００１３】
前記主体部２の上面５は水平位置を占めるよう成形され、該上面５には、上面５から徐々に深く、ひずめ型形状に凹陥したコップ受け凹部６が凹設されている。
【００１４】
前記コップ受け凹部６は、図示例の場合、図５に示されるごとき、截頭円錐体形状の外周面７と、平坦な底面８とよりなる計量コップ３の外周面７から底面８にかけて斜断した形状に合致する形状に凹陥された平坦底壁９と、筒面状円周１０とで形成され、両壁９、１０の交線１１が、最深部から主体部２の上面５に達する円弧とされている。このため、筒面状周壁１０の母線Ａは、平坦底壁９と直交する線Ｂに対し角度θを有しているが計量コップ３が直筒形状の場合は、当然に角度θは零である。
【００１５】
コップ受け凹部６は、上述の形状であるため、主体部２の上面５に、該凹部６の上周縁１７たる放物線縁６Ａと、その両端を結ぶ直線縁６Ｂとが形成され、放物線縁６Ａは、前記筒面状周壁１０の開口縁となり、直線縁６Ｂは前記平坦底壁９の開口縁となる。
【００１６】
前記コップ受け凹部６の内周面たる平坦底壁９と筒面状周壁１０とは、主体部２の上面５の色彩、色調と顕著に異なる色彩、色調に着色されている。
【００１７】
またコップ受け凹部６の筒面状周壁１０の最長母線１０Ａ位置（図３、図４参照）に対応する該凹部６の周縁部分１２からは、該母線１０Ａの延長方向外方で向けてコップ受け突片１３が延出されている。
【００１８】
前記計量コップ立てセット１の主体部２の上面５において、コップ受け突片１３の延出位置と対称位置の上面には、計量コップ３による計量時に主体部２に作用する偏荷重とバランスさせる為のバランスウェイトを兼ねる計量コップ当て４が、適宜手段で立設、固定されている。
図示例では計量コップ当て４のコップ受け凹部６側の表面１４に間隔Ｗを存した２個の小突起１５、１６が突設されている。
この小突起１５、１６は、計量のため計量コップ３をコップ受け凹部６内へ静置させる際、手に持った計量コップ３の背面部を小突起１５、１６間に当接させ、そのまま計量コップ３を下方へ移動させることにより、計量コップ３を正しくコップ受け凹部６へ導きうるので、手指の動きが若干不自由な人の場合でも、その計量動作を助けうる。
【００１９】
前記計量コップ当て４は、図示例では単なる直方体形状であるが、これを人形、動物おもちゃ等とし、その手足、四肢等を小突起１５、１６に替えてもよい。
【００２０】
前記コップ受け凹部６の、放物線縁６Ａと直線縁６Ｂとで形成される上周縁１７は、コップ受け凹部６内に計量コップ３を静置させた際の、所定量の薬液の計量の基準線となるものであり、コップ受け凹部の容積、筒面状周壁１０の図４に示す前記角度θ等は計量コップ３の形状、計量すべき薬液量等に応じ実験的に決定される。
なお、計量コップ３の１回当りの計量すべき薬液量の変更は、コップ受け凹部６の傾斜角度或は深さの変更によって対応できる。
【００２１】
また計量時の基準線となる上周縁１７の位置は、計量すべき最小量に対応する位置に選定しておくことにより、その計量の繰り返しにより、整数倍の薬液量の計量は容易に行いうる。
【００２２】
【発明の効果】
請求項１の発明によると、既述のごとく、洗面台、食卓等の水平な上面に、計量コップ立てセット１の主体部２を水平に載置し、そのコップ受け凹部６に、セットになっている計量コップ３を静置したのち、コップ受け凹部６の上周縁１７を計量コップ３の周壁を通して視認しつつ、薬液ボトルから薬液の液面が前記上周縁１７の位置に達するのまで注入するのみで所定量の薬液の所定量の薬液の計算が完了するので、薬液の所定量の計算を著しく簡単に行いうる効果を奏する。
【００２３】
請求項２の発明によると、コップ受け凹部６の平坦底壁９と筒面状周壁１０とが主体部２の上面５の色彩、色調と顕著に異なる色彩、色調に着色されているので、薬液計量時におけるコップ受け凹部６の上周縁１７を、計量コップ３の透明な外周面、底面を通して、明確かつ容易に視認できる効果を奏する。
【００２４】
請求項３の発明によると、コップ受け凹部６の筒面状周壁１０の最長母線１０Ａの位置に対応する周縁部分１２から、該母線１０Ａの延長方向外方へ向けてコップ受け突片１３が延出されているので、コップ受け凹部６内へ傾斜した姿勢で静置された計量コップ３の計量時の姿勢の安定度を向上させうる効果を奏する。
【００２５】
請求項４の発明によると、コップ立てセット１の主体部の上面５における前記コップ受け突片１３の延出位置と対称の位置にバランスウェイトを兼ねる計量コップ当て４が立設、固定されているので、計量時における主体部２の静置安定度が向上し、計量時における主体部２の不測の転倒等の事故の発生を防止できる効果を奏する。
【図面の簡単な説明】
【図１】実施の一例の正面図である。
【図２】図１に示すものの右側面図である。
【図３】図１に示すものの平面図である。
【図４】図３中Ｘ−Ｘ線における一部省略縦断面図である。
【図５】使用状態を示す図４と同一位置における一部省略縦断面図である。
【図６】従来の薬液等の希釈用の透明な計量コップの正面図である。
【符号の説明】
１　計量コップ立てセット
２　主体部
３　計量コップ
４　計量コップ当て
５　上面
６　コップ受け凹部
６Ａ　放物線縁
６Ｂ　直線縁
７　コップの外周面
８　コップの底面
９　平坦底壁
１０　筒面状周壁
１０Ａ　最長母線
１２　周縁部分
１３　コップ受け突片
１７　上周縁
【図１】
2004053565.tif 000003
【図２】
2004053565.tif 000004
【図３】
2004053565.tif 000005
【図４】
2004053565.tif 000006
【図５】
2004053565.tif 000007
【図６】
2004053565.tif 000008